(57)【特許請求の範囲】
【請求項１】
原動機を装着した機体と、上記機体に設けられ原動機により回転される走行輪と、上記原動機により回転されて耕土を畦成形部に掻き上げる耕耘刃と、上記耕耘刃の後方に設けられ土の上面を締め固める上面板と法面を締め固める法面板とからなり法面板の下端側を支点にして上端側を揺動運動機構により揺動させる畦面叩き手段と、上記畦面叩き手段の後方の畦成形部の法面側に配置され機体の進行方向と直交する方向に設けられた回転軸に装着されて上記原動機により回転駆動され略円錐台状に形成された法面成形体と、上記法面成形体の畦成形部上面側に設けられその先端側が畦成形部上面側に突出するようにして筒状に形成された上面成形体と、を具備してなる畦成形機において、法面成形体は、走行輪の駆動軸より上方に偏心した位置に設けられ駆動軸の駆動力の伝達を入切するクラッチ手段により回転力を伝達され、且つ駆動軸を中心に上下に位置調整可能に形成されたことを特徴とする畦成形機。
【請求項２】
上面成形体は円錐台状であることを特徴とする請求項１記載の畦成形機。
【発明の詳細な説明】
【技術分野】
【０００１】
本発明は、例えば、水田や畑の畦を成形するための畦成形機に係り、特に、成形する畦の高さを調節自在としたものに関する。
【背景技術】
【０００２】
畦成形機としては、例えば、次のようなものがある。牽引車に付設されて該牽引車の進行方向に順次畦を形成する畦成形機において、畦成形部に土を盛り上げ状態に連続的に供給する耕耘刃からなる土盛装置と、畦形成部に盛られた土を締め固めて畦を形成する畦形成装置とを具え、該畦形成装置は、畦と直交する軸線回りに回転せしめられ且つその上側周面が牽引車の進行方向に回転するようにその回転方向が設定されて畦上面を形成する丸軸からなる回転体を具え、畦上面の内縁を形成する回転体内端には、内方に向かって大径となる円錐面を具えた畦内側形成用の内側回転板が連設され、該内側回転板と回転体とは一体に回転するものとされており、また、単位時間当たりの牽引車の進行長さをＬ１、回転体の円周をＬ２、単位時間当たりの回転体の回転数をＮとしたとき、Ｎ×Ｌ２＞Ｌ１の関係が充足されるようになされているものである。
【０００３】
更に、畦上面の外縁を形成する回転体外端には、外方に向かって大径となる円錐面を具えた畦外側面形成用の外側回転板を連設し、回転体と内側回転体と外側回転体は一体に回転するものである（例えば、特許文献１参照。）。
【０００４】
【特許文献１】特許第２５６４２３０号公報
【発明の開示】
【発明が解決しようとする課題】
【０００５】
上記従来の構成によると次のような問題があった。すなわち、従来の畦形成装置においては、図１６に示すように、畦成形体５２における上面成形体５２Ｂと法面成形体５２Ａとが一体であり機体の所定位置に固定された駆動軸に取り付けられている。したがって、一定の高さの畦を成形することができるが、畦の高さを変えたい場合、上面成形体５２Ｂと法面成形体５２Ａの大きさは車輪の大きさに対応して一定であるから、変更することができない。例えば畝を高くする場合には、車輪を大径のものに変更した上で上面成形体と法面成形体も大きなものに変更しなければならないという問題があった。尚、このような歩行型の畦形成装置の場合に上記のような問題があるのであり、トラクターを牽引車とした畦形成装置の場合は、トラクター自体に上面成形体と法面整形体を昇降させる機能を備えているので、畦の高さを任意に調整可能する必要がない。しかし、上記歩行型の畦形成装置の場合は、装置が小型であり、使用できる駆動系統も車輪の駆動軸等に限られているため、有効な畦の高さ調整機構は提供されていないのが実情である。
【０００６】
本発明はこのような点に基づいてなされたものでその目的とするところは、上面成形体と法面成形体を交換することなく簡単な構成で畦の高さを容易に調整可能な畦成形機を提供することにある。
【課題を解決するための手段】
【０００７】
上記目的を達成するべく本願発明の請求項１による畦成形機は、原動機を装着した機体と、上記機体に設けられ原動機により回転される走行輪と、上記原動機により回転されて耕土を畦成形部に掻き上げる耕耘刃と、上記耕耘刃の後方に設けられ土の上面を締め固める上面板と法面を締め固める法面板とからなり法面板の下端側を支点にして上端側を揺動運動機構により揺動させる畦面叩き手段と、上記畦面叩き手段の後方の畦成形部の法面側に配置され機体の進行方向と直交する方向に設けられた回転軸に装着されて上記原動機により回転駆動され略円錐台状に形成された法面成形体と、上記法面成形体の畦成形部上面側に設けられその先端側が畦成形部上面側に突出するようにして筒状に形成された上面成形体と、を具備してなる畦成形機において、法面成形体は、走行輪の駆動軸より上方に偏心した位置に設けられ駆動軸の駆動力の伝達を入切するクラッチ手段により回転力を伝達され、且つ駆動軸を中心に上下に位置調整可能に形成されたことを特徴とするものである。
【０００８】
また、請求項２による畦成形機は、請求項１記載の畦成形機において、上面成形体は円錐台状であることを特徴とするものである。
【０００９】
すなわち、本発明による畦成形機の場合には、畦の上面及び法面を叩いて平坦に形成する畦面叩き手段と、畦の法面と上面を撫でつけて平坦に形成する法面成形体を用いるから、畦を高く且つ上面を平坦に仕上げ形成されるとともに、凹凸の大きな土盛りでも上面や法面全体を確実に平坦面に仕上げ形成され、その形状も綺麗に形良く仕上げられる。特に、法面成形体は走行輪の駆動軸より上方に偏心した位置に設けられ駆動軸の駆動力の伝達を入切するクラッチ手段により回転力を伝達され、且つ駆動軸を中心に上下に位置調整可能に形成されているから、簡単な構成でありながら、上面成形体と法面成形体を昇降させて畦の高さを変更することが簡単な操作で容易にできる。
【発明の効果】
【００１０】
本発明の畦成形機によると、上面成形体と法面成形体を交換することなく簡単な構成で畦の高さを任意に調整することができる。
【発明を実施するための最良の形態】
【００１１】
以下、図１乃至図１２を参照して本発明の第１の実施の形態を説明する。図１は本実施の形態による畦成形機１００の斜視図である。本発明の畦成形機１００は、ハンドトラクター（耕耘機）１を牽引車１Ａとしたものである。牽引車１Ａの機体Ｆには進行方向Ａの前上部に原動機Ｅを備え、前下部に牽引車１Ａの前輪（ダブル車輪）Ｒ０と、畦成形部２０の近くを掘り起すとともに法面２０Ｄと上面２０Ｃに土２０Ａを掻き上げる左右一対の耕耘刃Ｒ１，Ｒ２と、古い畦２０の法面２０Ｄを削り取る法面耕耘刃Ｒ３とを備えている。上記前輪（ダブル車輪）Ｒ０と左右一対の耕耘刃Ｒ１，Ｒ２とにより、左右バランス良く耕耘できて牽引車１Ａが直進できる構成となっている。すなわち、上記左右一対の耕耘刃Ｒ１は、左右３本ずつ２枚で各６本構成とし、法面側と反法面側へと均等に土を掘り起こすことで、ハンドトラクター（耕耘機）１の機体を安定姿勢にバランスさせている。また、古い畦２０の法面２０Ｄを削り取る法面耕耘刃Ｒ３は、耕耘刃Ｒ１の先端側に取り付けられ、法面の傾斜角に合わせて傾斜したブレートからなるものである。尚、法面側の耕耘刃Ｒ１の６枚を法面側に向け、反法面側の耕耘刃Ｒ１の３枚を法面側に向け、３枚を反法面側に向けた構成としても、ハンドトラクター（耕耘機）１の機体を安定姿勢にバランスさせられる。また、牽引車１Ａの前輪（ダブル車輪）Ｒ０と後部左右の走行輪Ｈ１，Ｈ２により、左右一対の耕耘刃Ｒ１，Ｒ２による耕耘深さを一定に保持することができ、ひいては、畦の高さも一定に保持することができる。
【００１２】
上記牽引車１Ａにおける耕耘刃Ｒ１，Ｒ２の後部には、畦成形部２０の上面２０Ｃに盛られた土２０Ａと法面２０Ｄを締め固める畦面叩き手段３０を備えている。この畦面叩き手段３０は、図１〜図４に示すように、機体Ｆに取り付けた支持筒３１に垂下されたフレームＦ１の下端に法面板３０Ｂの下端の支点Ｏ１がピンＰ１により回動可能に枢支されている。上記法面板３０Ｂには、上部に上面を叩く上面板３０Ａを備えている。上面板３０Ａは法面板３０Ｂに対して、複数の孔とボルトとの取付手段により、畦の高さに合わせて上面板３０Ａの高さを調節自在に取り付けられている。尚、上面板３０Ａは法面板３０Ｂに対して一体に取り付けられていても良い。上記法面板３０Ｂ及び上面板３０Ａはこれを揺動運動すべく上角部において、揺動運動機構を介して原動機Ｅを駆動源とする駆動系（図７で後記する）ＤＯに繋がれている。
【００１３】
その構成は、支持筒３１内で回転する駆動軸３３の円板３３Ａに偏芯ピンＰで枢支されて矢印（イ）のように昇降動する連結棒Ｌ１の下端が連結棒Ｌ２の先端と自在継手で略直角に繋がれている。この連結棒Ｌ２の後端は機体Ｆに取り付けた支持軸Ｐ２に枢支されているとともに、垂直姿勢の連結棒Ｌ３と一体化しており、支持軸Ｐ２を回転中心にして矢印（ロ）のように揺動される。上記連結棒Ｌ３の上端は、上記法面板３０Ｂを揺動運動すべく連結棒Ｌ４の上端と支持軸Ｐ３で枢支され、連結棒Ｌ４の下端が法面板３０Ｂの上部の支持軸Ｐ４に繋がれている。しかして、連結棒Ｌ４は矢印（ハ）の軸棒方向に進退することで、上記法面板３０Ｂを矢印（二）の方向に揺動運動させる。このような構成とすることで、上面板３０Ａ，法面板３０Ｂは所定の回転数で下端の支点Ｏ１を中心にして矢印（二）で示す畦２０と直交する左右方向に揺動運動される。これで畦成形部２０の上面２０Ｃと同時に法面２０Ｄを叩いて締め固めることができる。上記畦面叩き手段３０の機能・目的は、次の法面成形体４０Ａにおいて、畦成形部２０の上部と下部で回転速度が異なり、上部側が遅くなって押圧度が低くなるので、予め叩き工程で上部と法面をある程度叩いて締め固めるのが好ましいからである。
【００１４】
上記畦面叩き手段３０の後方には、左右２本の大径の走行輪Ｈ１，Ｈ２を備えている。また、畦側となる走行輪Ｈ１には、ステンレス製の法面成形体４０Ａ及びこの回転中心Ｏに畦成形部２０の上面２０Ｃを仕上げるステンレス製の上面成形体４０Ｂを持つ畦成形体４０が取り付けられている。
【００１５】
左右の走行輪Ｈ１，Ｈ２は、図６に示すように、六角断面の回転軸５０に嵌着する軸受筒６０に装着されている。上記走行輪Ｈ１，Ｈ２は、軸受筒６０上のスプロケット９Ｂに巻回されたチェーンＣ４を介して、原動機Ｅを駆動源とする駆動系（図８で後記する）ＤＯに連結されている。
【００１６】
また、上記畦成形体４０は、走行輪Ｈ１の外側であって走行輪の駆動軸５０より上方に偏心した位置に設けられ駆動軸５０の駆動力の伝達を入切するクラッチ手段５３により回転力を伝達され、且つ駆動軸５０を中心に上下に位置調整可能に形成されている。
【００１７】
まず、駆動軸５０より延長配置された軸部５１にはベアリング４１，４２を介してクランクアーム４３の基端側が支持され、クランクアーム４３の先端側にはベアリング４４，４５を介して回転軸４６が支持されている。駆動軸５０と回転軸４６は、スプロケット４７とスプロケット４８にチェーン４９を掛け渡して連結され、回転軸４６は常時フリー回転するようになっている。上記クランクアーム４３の先端側には操作レバー５４が延長形成され、その先端部には操作レバーの位置を切り換えるガイド手段５５が設けられている。
【００１８】
このガイド手段５５は４箇所の案内溝を備えた案内ガイド板５６が機体に支持固定されており、この案内溝の位置は図中左から最下降させた第１位置（ａ）、少し上の第２位置（ｂ）、さらに上の第３位置（ｃ）最も上の第４位置（ｄ）となっている。そして、上記操作レバー５４に嵌挿した摺動筒５７にガイドローラ５８とそれに連結した操作部５９を備え、且つ、操作レバー５４に取り付けた横レバー６１の一端と摺動筒５７との間にコイルスプリング６２を引っ張り状態で取付け、上記案内溝に係止されるようにしている。
【００１９】
また、上記ガイド手段５５には回転軸への駆動力の伝達を入切自在とするクラッチ手段５３を備えている。このものは、横レバー６１の他端にクラッチレバー７１を回動可能に取付け、その一端側にクラッチ寄せ７２を設けて、これを回転軸５０に設けたクラッチの一方７３に係合させている。クラッチの一方７３の入の移動位置にはスプライン軸部７４が設けられ、スプロケット４８の常時フリー回転する駆動力の伝達を可能としている。また、クラッチレバー７１の他端側は案内ガイド板５６側に延長形成され上記第１位置（ａ）と第２位置（ｂ）に対応する位置では高さが高く形成され、第３位置（ｃ）と第４位置（ｄ）では低く形成された誘導レール７５に面する位置に配置され、且つねじりコイルばね７７により常時他端側を案内ガイド板５６に付勢された状態としている。
【００２０】
上記回転軸４６の先端側には取付ブラケット７８を介して円錐面体状の法面成形体４０Ａが装着されている。このものは、ステンレス製又は樹脂製である。さらに、法面成形体４０Ａの先端部を延長形成して、ここに上面成形体４０Ｂが装着されている。このものも、ステンレス製又は樹脂製である。上面成形体４０Ｂは、約１０°のテーパーを有する円錐台状の外観を呈している。
【００２１】
次に、図８を参照して上記走行輪Ｈ１，Ｈ２、畦面叩き手段３０、畦成形体４０の法面成形体４０Ａと上面成形体４０Ｂ、及び、耕耘刃Ｒ１，Ｒ２，Ｒ３等を駆動する駆動系ＤＯを説明する。先ず、エンジンＥからの畦成形体４０への出力は、スプロケット２，チェーンＣ１，爪クラッチ付スプロケット３，軸４，チェーンＣ２，スプロケット５，６、チェーンＣ３，スプロケット７，７Ａ、チェーンＣ４，スプロケット９Ｂにより回転軸５０に伝達される。走行輪Ｈ１，Ｈ２は、爪クラッチ付スプロケット３との動力オン・オフ操作により、走行が行われる。
【００２２】
また、走行輪Ｈ１，Ｈ２の駆動は、エンジンＥからの出力が、駆動軸５０上のスプロケット９ＡからチェーンＣ５を介して軸１１Ａ上の遊動軸１１Ｂのスプロケット１１Ｃ，スプロケット１１Ｄ，チェーンＣ６，スプロケット１０Ｃを介して駆動軸３５に伝達され、さらに駆動軸３５の両端の爪クラッチ付スプロケット１０Ａ又は爪クラッチ付スプロケット１０ＢからチェーンＣ7又は，Ｃ８、スプロケット１１Ｅ又は１１Ｆ、及び１１Ｇ又は１１Ｈ，チェーンＣ９又はＣ１０を介してスプロケット１２Ａ，１２Ｂに伝達される。そして、上記スプロケット１２Ａ，１２Ｂを取り付けた第１筒部５０Ａ，５０Ｂの外端に取り付けた走行輪Ｈ１，Ｈ２に伝達される。上記爪クラッチ付スプロケット１０Ａを小径とし、スプロケット１１Ｅを大径として低速用とし、また、爪クラッチ付スプロケット１０Ｂを大径とし、スプロケット１１Ｆを小径として高速用とし、爪クラッチの切り換え操作により走行輪Ｈ１，Ｈ２を変速回転できるようにしている。
【００２３】
また、回転軸５０から回転軸４６への動力の伝達は、回転軸５０に設けたスプロケット４７と回転軸４６に設けたスプロケット４８とにチェーン４９を掛け渡し、常時フリーで回転するスプロケット４８の回転をクラッチ手段５５の入切り操作で回転軸４６に伝達するようになっている。
【００２４】
また、耕耘刃Ｒ１，Ｒ２への出力は、スプロケット７Ａの爪クラッチのオン・オフで動力伝達されるスプロケット１３，チェーンＣ１０，スプロケット１４のロータ軸により伝達され、このロータ軸に装着した耕耘刃Ｒ１，Ｒ２，Ｒ３を回転駆動する。このオン・オフ操作は、スプロケット７Ａの爪クラッチのオン・オフで行われる。また、畦面叩き手段３０への出力は、スプロケット７Ａの爪クラッチのオン・オフで動力伝達されるスプロケット１５により伝達され、チェーンＣ１１，スプロケット１６により上面叩き手段３０に連結された駆動軸３３を駆動する。このオフ操作は、スプロケット７Ａの爪クラッチのオン・オフで行われる。
【００２５】
以上の構成を基にその作用を説明する。まず、原動機Ｅを始動させ畦成形機１００を走行可能な状態とし、畦面叩き手段３０と畦成形体４０を駆動状態とした上で、畦２０の内側寄りを進行方向Ａに移動させる。このとき、図９に示すように、前下部の耕耘刃Ｒ１及び耕耘刃Ｒ２により、畦成形部２０の近くを掘り起すとともに法面２０Ｄと上面２０Ｃに土２０Ａを掻き上げる。また、耕耘刃Ｒ３により古い畦の法面２０Ｄの表面を削り取る。畦成形部２０の上面２０Ｃに盛り上げた土２０Ａは、図１０に示すように，耕耘刃Ｒ１の後方に配置した畦面叩き手段３０により締め固められる。すなわち、叩き板３０Ａ，３０Ｂが揺動運動して畦の上面及び法面を叩くことにより、上面に盛り上げられた土２０Ａを平らに突き固めるとともに、これに連続する法面の土も平らに突き固める。続いて、図１１、図１２に示すように、畦面叩き手段３０の後方に配置した畦成形体４０における法面成形体４０Ａ及び上面成形体４０Ｂが進行方向Ａに転動して法面や上面に盛られた土２０Ａを押し付けながら進行して行く。
【００２６】
上記法面成形体４０Ａは、回転軸４６の先端側に取付ブラケット７８を介して円錐面体を取り付けたものであり、回転によって畦２０の法面への成形力が働き確実に締め固められる。また、上面成形体４０Ｂについても円錐台状の外観を呈していて畦の上面への成形力が働き確実に締め固められる。これにより、畦の法面２０Ｄが平滑できれいに仕上げられ、容易には崩れない畦がスピーディに形成される。
【００２７】
また、本発明の畦成形機においては、畦成形体４０、すなわち法面成形体４０Ａと上面成形体４０Ｂは、走行輪の駆動軸５０より上方に偏心した位置に設けられ駆動軸５０の駆動力の伝達を入切するクラッチ手段５３により回転力を伝達され、且つ、駆動軸５０を中心に上下に位置調整可能に形成されている。
【００２８】
すなわち、図７に示すように、畦成形体４０を最大下降位置に移動したい場合は、操作部５９を引き上げてガイドローラ５８をフリーとし、クランクアーム４３を案内ガイド板５６の最も下降させた第１位置（ａ）に移動して操作部５９を戻してガイドローラ５８を当該案内溝に係止させる。これにより畦成形体４０の法面成形体４０Ａは図中実線の位置に配置され、成形される畦の高さは最も低いものとなる。この時、図６に示すようにクラッチ手段５３は、クラッチレバー７１が誘導レール７５により押されてクラッチ寄せ７２が図中左側に移行しクラッチを自動的に入にして駆動軸５０の駆動力により回転力を伝達されるようになっている。また、これより高い畝を成形する場合には、操作部５９を引き上げてガイドローラ５８をフリーとし、クランクアーム４３を案内ガイド板５６のやや上の第２位置（ｂ）に移動して操作部５９を戻してガイドローラ５８を当該案内溝に係止させる。これにより畦成形体４０の法面成形体４０Ａは図中破線の位置に配置され、成形される畦の高さは高くなる。クラッチ手段については、上記と同様の状態であり、自動的に回転駆動された状態となる。
【００２９】
更に、畦成形体４０を上昇させて一時停止させたい場合には、第３位置（ｃ）、不使用時で完全に上昇させて停止しておきたい場合は、第４位置（ｄ）に移動させる。この場合には、クラッチ手段５３は、クラッチレバー７１が誘導レール７５より外れてクラッチ寄せ７２が図中右側に移行しクラッチを自動的に切にして駆動軸５０の駆動力と切り離して回転力が伝達されないようになっている。尚、上記の実施の形態の場合は、案内溝を使用時に上下２段に切り換える構成としたが、案内溝の数を増やすことにより多段階での高さ調整が可能となる。また、上記の実施の形態の場合は、クラッチ手段として、クラッチレバーと誘導レールによる自動切り換え式のものを示したが、これに変えて、独立した操作部を有するクラッチ駆動式、すなわち、クラッチ寄せの操作をワイヤを介してクラッチレバーで行う方式等とすることもできる。
【００３０】
図１６に示すように、従来の畦形成装置においては、畦２０の法面２０Ｄを成形する内側回転板（円錐回転体）５２を構成する円錐面５２Ａの外径縁が直線状に形成されていると、この外径縁の直線部が法面２０Ｄの底面部２０Ｅを押さえ付けられず法面を崩れ易くしてしまう。また、畦成形部２０に土を盛り上げ状態に連続的に供給する耕耘刃からなる土盛装置（特に歩行型畦形成装置）は、耕耘刃で土を畦成形部側に寄せるとき機体の走行方向に対して軽い機体を畦側に傾かせる力が働いて傾かせることになる。図１６に示すように、本来の上面２０Ｃと法面２０Ｄとは、二点鎖線に示すものである。しかし、機体が畦成形部側に傾くために、畦形成装置を構成する円錐回転体５２Ａの回転中心に設けた回転体５２Ｂが低く傾き、この先端が畦の上面２０Ｃを傾かせて凹溝状２０Ｃ´に成形させる。また、畦の法面２０Ｄを成形する円錐回転体５２Ａも法面の上側を強く押し、下側をあまり押さないから、しっかりした法面が形成されない。このため、上面の法面側が高くなって雨水が上面の外側、すなわち畦の外側に流れ落ち雨水で崩れ易くなるという問題がある。
【００３１】
これに対し本発明の畦成形機では、図１１，図１２に示すように、上記上面成形体４０Ｂは、外周面は先端側が僅かに細くなったテーパー面４０Ｅであり、テーパー角度は約１０°に設定されているから、たとえ、機体が法面側に傾いても、上面２０Ｃを水平姿勢乃至は畦の内側へ僅かに傾けて仕上げられる。これにより、雨水は畦の縁側へ流れ込んで雨水により容易には崩れない畦がスピーディに形成される。また、図１３に示すように、上記上面成形体４０Ａは、回転軸となる六角断面の回転軸５０を短く切断し、この軸端面に雌螺子５０Ｃを設け、法面成形体４０Ａにおける回転軸に畦の上面と法面との境に配置される第１テーパー部４０Ｃ´と、第１テーパー部の先端に第２テーパー部４０Ｔとを一体成形し、ボルトＢ０により雌螺子５０Ｃに螺着させて取り付けたものとすることもできる。尚、法面成形体４０Ａと第１テーパー部４０Ｃ´との表面角度は２０°前後に設定され、第２テーパー部４０Ｔは回転中心Ｏに対して１０°前後のテーパー角度に設定されている。これは機体の畦側への傾きが１０°前後である経験則から設定されている。尚、上記のテーパー角度は上記に限らず任意である。また、第１テーパー部４０Ｃ´は直線状に代えてＲ状とすることもできる。
【００３２】
上記法面成形体４０Ａの回転軸に畦の上面と法面との境に第１テーパー部４０Ｃ´を取り付けるとともに、この先端に第２テーパー部４０Ｔを取り付けた場合には、畦成形部２０の上面２０Ｃと法面２０Ｄとの境を第１テーパー部４０Ｃ´で円弧状に仕上げることができる。そして、たとえ、機体が畦側へ傾いても第２テーパー部４０Ｔが水平姿勢となり上面２０Ｃも二点鎖線で示すように、水平状態に仕上げられて、雨水が上面に溜まらず畦の上面から境の円弧状面を通って法面へと円滑に流し込まれる。これにより、雨水が上面に溜まらず畦の上面から境の円弧状面を通って法面へと円滑に流し込まれる。よって、雨水によって崩れない畦を形成することができる。
【００３３】
上記のように本発明の畦成形機１００は、まず、土盛りされた畦成形部２０の上面２０Ｃ及び法面２０Ｄを平坦に形成する畦面叩き手段３０を作用させ、その後、法面２０Ｄを更に平坦に形成する法面成形体４０Ａと畦２０の上面２０Ｃを平坦に形成する上面成形体４０Ｂとを作用させるようにしたから、上面成形体４０Ｂの外径寸法を小さくしても畦２０を高く成形できる。これは畦の上面２０Ｃが大きな土盛りで盛られて凹凸が生じている場合でも、まず畦面叩き手段３０で叩いて締め固めることができ、続く上面成形体４０Ｂは上面２０Ｃを撫でつけるようにするだけでよいから、締まりが良く、平滑できれいな上面に仕上げることができるのである。また、法面２０Ｄの仕上げについても、畦面叩き手段３０の叩き板３０Ｂにより予め叩かれて締まりが良く、平滑できれいに仕上げることができる。更に、法面成形体４０Ａが円錐台状に形成されているから、畦２０の法面の底面部２０Ｅを隙間なくしっかり押し固めるので、法面２０Ｄの底面部２０Ｅの土２０Ａが崩れ難くなる。しかして、上記の作業形態をとることで、牽引車１Ａの通常の進行速度で作業できるから、畦２０の形成作業をスピーディに効率良く行える。また、法面成形体４０Ａは走行輪の駆動軸より上方に偏心した位置に設けられ駆動軸の駆動力の伝達を入切するクラッチ手段５３により回転力を伝達され、且つ駆動軸を中心に上下に位置調整可能に形成されているから、簡単な構成でありながら、上面成形体と法面成形体を昇降させて畦の高さを変更することが簡単な操作で容易にできる。
【００３４】
以上、本発明の実施の形態によると、次のような効果を奏することができる。まず、畦成形機１００には、畦成形部２０の上面２０Ｃ及び法面２０Ｄを平坦に形成する畦面叩き手段３０と、畦成形部２０の法面２０Ｄ及びこの底面部２０Ｅを平坦に形成する上面成形体４０Ｂとを別個に独立設置して作動させるから、畦を高く、且つ、法面２０Ｄの底面部２０Ｅの土２０Ａが各押圧片４０Ｃの外周縁４０Ｉに均等に押されて崩れ難くなって強固で締まりが良く、畦成形部２０の上面２０Ｃ及び法面２０Ｄが平滑できれいに仕上げできる。また、畦の形成作業もスピーディに効率良くできる。また、上面成形体と法面成形体を交換することなく簡単な構成で畦の高さを任意に調整することができる。
【００３５】
尚、上記第１の実施の形態における畦成形体４０は円錐面体状としたが、これに限定されるものではない。例えば、複数毎（例えば８枚）の円錐面形状の板を端部を重ねた状態で並列配置して円錐面体を形成しても良い。この場合にも、法面を畦面叩き手段により叩いて平坦に形成しているので、上記多板式の円錐面体で撫でるようにするだけで綺麗に仕上げることができる。また、上記の円錐面体状に変えて角錐面体状としても良いし、また、図１４、図１５に示すように、角錐面体状であって、且つ、羽根車状とした第２の実施の形態の畦成形機２００とすることもできる。すなわち、回転軸４６に嵌着された第１筒部６３の外周部６３Ａに大径の角錐面体４０Ａが羽根車状に装着されている。すなわち、上記法面成形体４０Ａは、複数枚（６〜８枚が好適、図示のものは８枚）の樹脂製の平板状押圧片４０Ｃの回転軸側をボルトＢで第１筒部６３の外周部６３Ａに固着され、各片の外周側４０Ｄの隣接面はその回転方向の後側Ｇが法面２０Ｄ側に突出するように所定の傾斜角度で組み合せて羽根車状に固着されている。また、上面成形体４０Ｂが第２筒部６５の外周に配設されている。すなわち、上面成形体４０Ｂは、円錐台状の外観を呈していて、先端側が僅かに細くなった樹脂製のテーパー面４０Ｅが第２筒部６５の外周部６５Ａに取り付けられている。尚、テーパー角度は任意であるが約１０°が好ましい。
【００３６】
上記法面成形体４０Ａは、複数枚の押圧片４０Ｃを、その回転方向の後側Ｇが法面２０Ｄ側に突出するように組み合せているから、畦２０の法面への法面成形体４０Ａの断続的な成形力がこの１回転の間に複数回も発生することとなり、確実に締め固められる。また、外周縁４０Ｉが円弧状に突出してなる法面成形体４０Ａとを別個に独立設置して作動させるから、畦２０の法面の底面部２０Ｅおよび法面全体をしっかり押し固めて高く形成でき、且つ上面２０Ｃを水平状態の平坦に形成できる。特に、法面成形体４０Ａの各押圧片４０Ｃの外周縁４０Ｉを円錐台状に形成されているから、耕耘された土が畦成形面と角錐台状の押圧片間に入り込んで羽根車状の押圧片により押しつけられ、しかも、押圧片の外周縁を円錐台状に形成しているから、土が溝側へ逃げることもなく、法面の底面部に落ち込んだ土か下から締め付けられて順次上へ押し固められる。これによって、土がしっかりと法面に締め付けられ、底面部が崩れることのない法面となる。これにより、畦の法面２０Ｄが平滑できれいに仕上げられ、容易には崩れない畦がスピーディに形成される。
【００３７】
また、上記実施の形態は水田の畦を成形する畦成形機の例を挙げて説明したが、これに代えて畝の成形に適用することも可能である。すなわち、上記第１実施の形態の装置において、回転軸５０，駆動軸３３、回転軸４６を図中左側に延長し、畦成形体４０と畦面叩き手段３０を機体の反対側にも設けることができる。他の構成は上記第１の実施の形態の場合と同じであるので、同一部分には同一符号を付して示しその説明は省略する。このようなものも本願発明の技術的範囲に入るものである。
【００３８】
このような構成とすることにより、ハウス内に溝を付けて畝を作る作業に使用でき、その際、畝の上面と法面をしっかり締め固めて上部な畝を成形することができる。その他の作用・効果は、第１の実施の形態の場合と同じである。
【００３９】
尚、上記の構成以外にも、畦成形部側の耕耘刃の先端側に畦成形部の古い畦の法面を削り取る法面耕耘刃を備えたことを特徴とする畦成形機や、耕耘刃は耕土を畦成形部側に掻き上げる耕耘刃と耕土を反畦成形部側に掻き上げる耕耘刃とを左右に配置したものであることを特徴とする畦成形機とすることもできる。。
【図面の簡単な説明】
【００４０】
【図１】本発明の第１の実施の形態を示し、畦成形機の斜視図である。
【図２】本発明の第１の実施の形態を示し、畦成形機の平面図である。
【図３】本発明の第１の実施の形態を示し、畦成形機の側面図である。
【図４】本発明の第１の実施の形態を示し、上面叩き手段の正断面図である。
【図５】本発明の第１の実施の形態を示し、畦成形機の側面図である。
【図６】本発明の第１の実施の形態を示し、畦成形体の平面図である。
【図７】本発明の第１の実施の形態を示し、畦成形体の側面図である。
【図８】本発明の第１の実施の形態を示し、駆動系の動力伝達図である。
【図９】本発明の第１の実施の形態を示し、畦形成の作用断面図である。
【図１０】本発明の第１の実施の形態を示し、畦形成の作用断面図である。
【図１１】本発明の第１の実施の形態を示し、畦形成の作用断面図である。
【図１２】本発明の第１の実施の形態を示し、畦形成の作用断面図である。
【図１３】本発明の第１の実施の形態を示し、上面成形体の変更例を示す正面図である。
【図１４】本発明の第２の実施の形態を示し、畦成形体の正面図である。
【図１５】本発明の第２の実施の形態を示し、畦成形体の側面図である。
【図１６】従来例の内側回転板と畦の高さを示す斜視図である。
【図１７】従来例の内側回転板と回転体と畦を示す正面図である。
【符号の説明】
【００４１】
１          ハンドトラクター（耕耘機）
１Ａ        牽引車
２〜１６    スプロケット
２０        畦成形部（畦）
２０Ａ      土
２０Ｃ      上面
２０Ｄ      法面
２０Ｅ      底面部
３０        畦面叩き手段
３０Ａ      上面板
３０Ｂ      法面板
３１        支持軸
３３        駆動軸
３３Ａ      円板
４０        畦成形体
４０Ａ      法面成形体
４０Ｂ      上面成形体
４０Ｃ´    第１テーパー部
４０Ｃ      押圧片
４０Ｄ      外周側
４０Ｔ      第２テーパー部
４０Ｅ      押圧片
４０Ｆ      押圧片
４０Ｉ      外径縁
４６        回転軸
５０        駆動軸
５３        クラッチ手段
５５        ガイド手段
１００      畦成形機
２００      畦成形機
Ａ          進行方向
Ｂ          ボルト
Ｂ０        ボルト
Ｂ１        ボルト
ＣＥ        チェーン
ＣＢ        コイルバネ
Ｃ          繋ぎ部
Ｃ１〜Ｃ８  チェーン
ＤＯ        駆動系
Ｅ          エンジン
Ｆ          機体
ＦＢ        固定ボルト
Ｇ          後側
Ｌ          軸線
Ｌ１〜Ｌ４  連結棒
Ｈ１，Ｈ２  走行輪
Ｎ          長孔
Ｏ          回転中心
Ｏ１        支点
Ｐ          偏芯ピン
Ｐ１〜Ｐ４  支持軸
Ｒ０        前輪
Ｒ１，Ｒ２  耕耘刃
Ｒ３        法面耕耘刃
【図１】
0004708226.tif 000002
【図２】
0004708226.tif 000003
【図３】
0004708226.tif 000004
【図４】
0004708226.tif 000005
【図５】
0004708226.tif 000006
【図６】
0004708226.tif 000007
【図７】
0004708226.tif 000008
【図８】
0004708226.tif 000009
【図９】
0004708226.tif 000010
【図１０】
0004708226.tif 000011
【図１１】
0004708226.tif 000012
【図１２】
0004708226.tif 000013
【図１３】
0004708226.tif 000014
【図１４】
0004708226.tif 000015
【図１５】
0004708226.tif 000016
【図１６】
0004708226.tif 000017
【図１７】
0004708226.tif 000018